(57)【特許請求の範囲】
【請求項１】
電気掃除機本体と、
この電気掃除機本体に収納され第１の電源で動作する電動送風機と、
前記電気掃除機本体に掃除可能な状態に着脱可能に接続される吸込口体と、
この吸込口体に設けられた回転体と、
前記吸込口体に設けられた二次電池と、
この二次電池からの給電により動作し前記回転体を駆動する電動機と、
前記二次電池および電動機が接続され一部が開放された閉回路と、
前記吸込口体が前記電気掃除機本体に掃除可能な状態に接続されることにより前記閉回路の開放された部分を電気的に短絡する短絡手段と
を具備したことを特徴とする電気掃除機。
【請求項２】
電気掃除機本体と、
この電気掃除機本体に収納され第１の電源で動作する電動送風機と、
前記電気掃除機本体に掃除可能な状態に着脱可能に接続される吸込口体と、
この吸込口体に設けられた回転体と、
前記吸込口体に設けられた二次電池と、
この二次電池からの給電により動作し前記回転体を駆動する電動機と、
前記二次電池および電動機が接続された閉回路と、
この閉回路内に設けられたスイッチ手段と、
前記吸込口体が前記電気掃除機本体に掃除可能な状態に接続されることにより前記スイッチ手段を閉成させる閉成手段と
を具備したことを特徴とする電気掃除機。
【発明の詳細な説明】
【０００１】
【発明の属する技術分野】
本発明は、電気掃除機本体の電動送風機と吸込口体の電動機とを別個の電源で駆動する電気掃除機に関する。
【０００２】
【従来の技術】
従来、電気掃除機は、電気掃除機本体内に電動送風機が収容され、この電気掃除機本体にホースおよび延長管を介して吸込口体が接続され、この吸込口体内に電動機が配設され、この電動機で回転体である回転清掃体を駆動している。また、電動送風機はコードを介して商用交流電源に接続され、この商用交流電源を電源として駆動され、電動機はホースおよび延長管を介して電気的に電気掃除機本体に接続され、電動機および電動送風機のいずれもが商用交流電源を電源としている。
【０００３】
そして、電気掃除機本体に吸込口体が接続されていない状態で電動機のみを動作させることはなく、吸込口体がホースおよび延長管を介して電気掃除機本体に接続されていない状態では電動機に電源が供給されないため、吸込口体が接続されていない状態では電動機は駆動しない。
【０００４】
【発明が解決しようとする課題】
しかしながら、近年、吸込口体と電気掃除機本体間のホースおよび延長管を介した電気的な接続をなくすなどの理由により、吸込口体の電動機の電源を電気掃除機本体の電動送風機の電源となる商用交流電源とは別個にし、吸込口体内に二次電池を配設し、この二次電池を電動機の電源とすることが考えられている。
【０００５】
一方、吸込口体は電気掃除機本体に接続されて掃除可能な状態でない場合に、電動機を動作させることは非常に考えにくい。
【０００６】
この点に関しては、従来の吸込口体の電動機の電源を電気掃除機本体から供給する方式のものでは、吸込口体が電気掃除機に接続されて掃除可能な状態でない場合には、電気掃除機本体から電動機には電力が供給されないため、吸込口体の電動機を動作させない。
【０００７】
ところが、吸込口体内に二次電池を配設し、この二次電池で電動機を駆動すると、吸込口体が電気掃除機本体に接続されていない状態で掃除可能な状態でない場合にも、吸込口体の電動機のみが動作してしまうおそれがある問題を有している。
【０００８】
本発明は、上記問題点に鑑みなされたもので、吸込口体の電動機の電源を電気掃除機本体の電動送風機の電源と別個にしたものでも、吸込口体が掃除可能な状態でない場合には電動機を動作させない電気掃除機を提供することを目的とする。
【０００９】
【課題を解決するための手段】
請求項１記載の電気掃除機は、電気掃除機本体と、この電気掃除機本体に収納され第１の電源で動作する電動送風機と、前記電気掃除機本体に掃除可能な状態に着脱可能に接続される吸込口体と、この吸込口体に設けられた回転体と、前記吸込口体に設けられた二次電池と、この二次電池からの給電により動作し前記回転体を駆動する電動機と、前記二次電池および電動機が接続され一部が開放された閉回路と、前記吸込口体が前記電気掃除機本体に掃除可能な状態に接続されることにより前記閉回路の開放された部分を電気的に短絡する短絡手段とを具備したもので、吸込口体が電気掃除機本体に掃除可能な状態に接続されることにより短絡手段は閉回路の開放された部分を電気的に短絡して閉回路を形成して電動機を駆動可能にするため、電動機を第１の電源とは別個の二次電池で動作させるものであっても、吸込口体が掃除可能な状態に接続されていなければ電動機は動作しない。
【００１０】
請求項２記載の電気掃除機は、電気掃除機本体と、この電気掃除機本体に収納され第１の電源で動作する電動送風機と、前記電気掃除機本体に掃除可能な状態に着脱可能に接続される吸込口体と、この吸込口体に設けられた回転体と、前記吸込口体に設けられた二次電池と、この二次電池からの給電により動作し前記回転体を駆動する電動機と、前記二次電池および電動機が接続された閉回路と、この閉回路内に設けられたスイッチ手段と、前記吸込口体が前記電気掃除機本体に掃除可能な状態に接続されることにより前記スイッチ手段を閉成させる閉成手段とを具備したもので、吸込口体が電気掃除機本体に掃除可能な状態に接続されることにより閉成手段はスイッチ手段を閉成させて閉回路を形成して電動機を駆動可能にするため、電動機を第１の電源とは別個の二次電池で動作させるものであっても、吸込口体が掃除可能な状態に接続されていなければ電動機は動作しない。
【００１１】
【発明の実施の形態】
以下、本発明の電気掃除機の一実施の形態を図面を参照して説明する。
【００１２】
図２に示すように、１は電気掃除機本体で、この電気掃除機本体１の内部には図示しない集塵室および電動送風機室が形成され、この電動送風機室には電動送風機２が収納され、この電動送風機２は電源線３を介して商用交流電源に接続され、この商用交流電源の電力に従い動作する。
【００１３】
また、電気掃除機本体１には、ホース４が接続されこのホース４の先端には操作手段５が設けられている。さらに、ホース４には延長管６，６が接続され、この延長管６の先端には吸込口体７が着脱自在に装着され、電気掃除機本体１の集塵室、ホース４、延長管６，６および吸込口体７は連通している。すなわち、吸込口体７はホース４、延長管６，６を介して電気掃除機本体１に着脱可能に接続されている。
【００１４】
そして、吸込口体７には回転体としての回転清掃体８が取り付けられ、この回転清掃体８は電動機９により回転され、この電動機９は吸込口体７内に収納された二次電池10により駆動される。
【００１５】
また、図１に示すように、吸込口体７内の電動機９、二次電池10およびオンオフスイッチ11で閉回路12を形成し、この閉回路12の一部はコンセント14が設けられて一部が開放した状態に形成されている。
【００１６】
一方、延長管６には短絡手段としてのジャンパ線15が配設され、このジャンパ線15の両端にはコンセント14に対応したプラグ16が取り付けられ、このプラグ16はコンセント14と着脱自在である。
【００１７】
次に、上記実施の形態の動作について説明する。
【００１８】
図１（ａ）に示すように、吸込口体７が延長管６に接続されていない状態では吸込口体７と電気掃除機本体１とが連通しておらず、一般的な掃除可能な状態ではないため、コンセント14により閉回路12が開放されているため、オンオフスイッチ11を閉成しても閉路が形成されず、電動機９は駆動されないため回転清掃体８は回転しない。
【００１９】
また、図１（ｂ）に示すように、吸込口体７が延長管６に接続された状態では吸込口体７と電気掃除機本体１とが連通して、掃除可能な状態となり、コンセント14とプラグ16とが接続されて閉回路12の一部開放されている部分はジャンパ線15で短絡されて閉路を形成し、オンオフスイッチ11の開閉に従い電動機９は駆動されて回転清掃体８が回転する。
【００２０】
そして、電気掃除機本体１の電動送風機２は操作手段５の操作に従い動作し、吸込口体７、延長管６，６、ホース４および集塵室を介して集塵する。
【００２１】
なお、掃除可能な状態としては、上述のようにホース４および延長管６，６を介して吸込口体７が接続されている状態に限らず、吸込口体７が電気掃除機本体１の集塵室と連通している状態、たとえば延長管６を介さずに直接ホース４に接続されている状態でもよく、この場合には短絡手段としてのジャンパ線はホース４に形成すればよい。
【００２２】
このように、ジャンパ線を用いることにより簡単な構成で低コストで吸込口体７が掃除可能ではない状態で動作しないように形成できる。
【００２３】
次に、他の実施の形態について図３を参照して説明する。
【００２４】
この図３に示す他の実施の形態は、図１に示す実施の形態において、閉回路12内にスイッチ手段17を設けたもので、このスイッチ手段17はたとえば掃除が可能な状態として延長管６と吸込口体７とが接続された状態で、スイッチ手段17が閉成され閉回路12の閉路を形成し、オンオフスイッチ11の操作により電動機９の動作を可能にするものである。したがって、延長管６は閉成手段としての機能を有する。
【００２５】
なお、この場合にも掃除可能な状態としては、図１に示す場合と同様に、ホース４および延長管６，６を介して吸込口体７が接続されている状態に限らず、吸込口体７が電気掃除機本体１の集塵室と連通している状態、たとえば延長管６を介さずに直接ホース４に接続されている状態でもよく、この場合にはたとえばホース４と吸込口体７と接続することによりスイッチ手段17を動作させるようにすればよい。
【００２６】
このように、スイッチ手段を用いることにより電気的な接続部が外に出ることをなくして防塵性を高めて吸込口体７が掃除可能ではない状態で動作しないように形成できる。
【００２７】
なお、電気掃除機本体１の電動送風機２の電源も、商用交流電源に代えて二次電池としてもよい。
【００２８】
【発明の効果】
請求項１記載の電気掃除機によれば、吸込口体が電気掃除機本体に掃除可能な状態に接続されることにより短絡手段は閉回路の開放された部分を電気的に短絡して閉回路を形成して電動機を駆動可能にするため、電動機を第１の電源とは別個の二次電池で動作させるものであっても、吸込口体が掃除可能な状態に接続されていない場合に電動機が動作することを防止できる。
【００２９】
請求項２記載の電気掃除機によれば、吸込口体が電気掃除機本体に掃除可能な状態に接続されることにより閉成手段はスイッチ手段を閉成させて閉回路を形成して電動機を駆動可能にするため、電動機を第１の電源とは別個の第２の電源で動作させるものであっても、吸込口体が掃除可能な状態に接続されていない場合に電動機が動作することを防止できる。
【図面の簡単な説明】
【図１】  本発明の電気掃除機の一実施の形態の吸込口体とホースとの電気的な接続を示す説明図である。
（ａ）  離れている状態
（ｂ）  接続されている状態
【図２】  同上電気掃除機の外観を示す斜視図である。
【図３】  同上他の実施の形態の電気的な状態を示す説明図である。
【符号の説明】
１    電気掃除機本体
２    電動送風機
６    閉成手段としての機能を有する延長管
７    吸込口体
８    回転体としての回転清掃体
９    電動機
10 二次電池
12    閉回路
15    短絡手段としてのジャンパ線
17    スイッチ手段
【図１】
0003867830.tif 000002
【図２】
0003867830.tif 000003
【図３】
0003867830.tif 000004